(57)【要約】      （修正有）【課題】注射針や注射器を廃棄する際に、注射針が不用意に看護師等に刺さるのを未然に防止し得る医療廃棄物用の容器を提供する。【解決手段】注射器の針または注射器を廃棄するための容器１であって、針または注射器を収容する半透明の容器本体１２と、容器本体の開口部を覆い、針または注射器を投入する投入開口１６を有する蓋部１０とを備え、容器本体は、底部から立ち上がる４つの側壁と、４つの側壁のうちの正面側Ｆの側壁１１ｂの外表面に貼付された商品のラベルＬと、正面側側壁に対向する背面側側壁１１ａの外表面に貼付され、投入開口１６および半透明の容器本体の背面側側壁を通して視認可能で、側壁の幅方向に延びて容器を廃棄する目安となる目印Ｍを構成するシールＳとを備えている。【選択図】図１
0003201698.tif 000002
【実用新案登録請求の範囲】
【請求項１】
注射器の針または注射器を廃棄するための容器であって、
前記針または注射器を収容する半透明の容器本体と、
前記容器本体の開口部を覆い、前記針または注射器を投入する投入開口を有する蓋部とを備え、
前記容器本体は、
前記容器本体の底部から立ち上がる４つの側壁と、
前記４つの側壁のうちの正面側の側壁の外表面に貼付された商品のラベルと、
前記正面側の側壁に対向する背面側の側壁の外表面に貼付され、前記投入開口および前記半透明の容器本体の前記背面側の側壁を通して視認可能で、前記背面側の側壁の幅方向に延び本容器を廃棄する目安となる目印を構成するシールとを備えている、医療廃棄物用の容器。
【請求項２】
前記シールは、前記背面側の側壁の幅の少なくとも半分以上の長さを有することを特徴とする、請求項１に記載の医療廃棄物用の容器。
【請求項３】
前記シールは、前記背面側の側壁から前記背面側の側壁に隣接する別の側壁まで延びていることを特徴とする、請求項２に記載の医療廃棄物用の容器。
【考案の詳細な説明】
【技術分野】
【０００１】
本考案は医療廃棄物を廃棄するための容器に関するものである。
【背景技術】
【０００２】
従来より、注射針や、シリンジ（注射筒）、注射器などを投入して廃棄するための医療廃棄物用の容器が提案されている（特許文献１，２参照）。
【先行技術文献】
【特許文献】
【０００３】
【特許文献１】実用新案登録第３１４２３８６号（要約書）
【特許文献２】実用新案登録第３１５０３１７号（要約書）
【考案の概要】
【０００４】
特許文献１の医療廃棄物用の容器１は、図７に示すように、針、シリンジまたは注射器などからなる医療廃棄物を収容する容器本体１２と、内蓋１３および外蓋１４からなる蓋部１０を備えている。前記内蓋１３には、前記廃棄物を投入するための投入開口１６が形成されている。
【０００５】
看護師などの使用者は、注射器を使用する度に、前記廃棄物を前記投入開口１６から容器本体１２内に投入し、容器本体１２内に投入された廃棄物が所定量に達すると、外蓋１４を閉めて容器１全体を廃棄する。
【０００６】
しかし、前記使用者は、容器本体１２内に溜まった廃棄物がどの程度の高さまで達しているかを把握しずらい。そのため、容器本体１２内に溜まった廃棄物の分量が多くなった場合、投入開口１６から廃棄物を投入する際に、容器本体１２内の注射針が使用者の指に刺さるという医療事故が生じるおそれがある。
【０００７】
したがって、本考案の目的の１つは、注射針や注射器を廃棄する際に、注射針が不用意に看護師等に刺さるのを未然に防止し得る医療廃棄物用の容器を提供することである。
【０００８】
特許文献２の容器１は、図８に示すように、商品の表示ラベルであるシールＳ４が設けられた背面側Ｂの前記側壁１１ａの内表面には、前記廃棄物の溜まり具合の目印となる３枚のシールＳ１〜Ｓ３が貼付されている。前記各シールＳ１〜Ｓ３は、背面側Ｂの反対側の正面側Ｆから、看護師等の使用者が前記投入開口１６（図７）を介して視認することができる位置に貼付されている。
【０００９】
図８に示すように、第１シールＳ１には、前記廃棄物の上限を示す目印となる矢印が略水平方向Ｙに沿って印字されている。
第２シールＳ２には、前記略垂直方向Ｚに沿って所定の間隔で目盛（目印）が水平方向Ｙに印字されている。そのため、使用者は、前記目盛を参考に、廃棄物の溜まり具合を知ることができる。
第３シールＳ３は、前記第１シールＳ１の矢印に使用者の注意を喚起するものであり、たとえば「ここまで」や、第１シールＳ１の矢印を指し示す矢印など、使用者に第１シールＳ１の矢印について注意を喚起する内容が印字されている。
【００１０】
しかし、前記特許文献２の考案は容器本体の側壁１１ａの内表面に種々のシールを貼付する。前記内表面にシールを貼付するのは手間がかかり、そのため、容器１全体のコストがアップする。また、内表面にシールを貼付する作業は難しく、そのため、熟練を要する。
【００１１】
したがって、本考案の目的の１つは、シールの貼付が容易で、かつ、コストの安い目印を有する容器を提供することである。
【００１２】
本考案は、注射器の針または注射器を廃棄するための容器であって、
前記針または注射器を収容する半透明の容器本体と、
前記容器本体の開口部を覆い、前記針または注射器を投入する投入開口を有する蓋部とを備え、
前記容器本体は、
前記容器本体の底部から立ち上がる４つの側壁と、
前記４つの側壁のうちの正面側の側壁の外表面に貼付された商品のラベルと、
前記正面側の側壁に対向する背面側の側壁の外表面に貼付され、前記投入開口および前記半透明の容器本体の前記背面側の側壁を通して視認可能で、前記背面側の側壁の幅方向に延び本容器を廃棄する目安となる目印を構成するシールとを備えている。
【００１３】
本考案によれば、投入開口および半透明の容器本体の背面側の側壁を通して、満杯の目安となるシールの目印が見える。
すなわち、本考案によれば、容器本体内に投入された医療廃棄物（針、シリンジまたは注射器など）の分量が多くなり、前記廃棄物が前記目印の高さまで溜まると、看護師等の使用者は当該状況を前記投入開口および半透明の容器本体を介して視認することができる。そのため、容器本体内に大量の廃棄物が貯留され、前記使用者に刺さるおそれが生じる前に、前記目印の高さに廃棄物が溜まった時点で容器全体を廃棄して新たな容器に交換する。
したがって、容器本体内に廃棄物が大量に溜まり、看護師等が廃棄物を投入開口から投入する際に、注射針が不用意に看護師等に刺さるという医療事故を未然に防止することができる。
【００１４】
また、前記目印を有するシールは、容器本体の側壁の内表面ではなく、外表面に貼付される。そのため、シールを貼付するのに手間がかからず、容器全体のコストアップが抑制される。
また、シールを側壁の外表面に貼付する作業は容易で、そのため、熟練を要しない。
なお、前記「シール」としては、たとえば、フィルムの表面に前記目印などが印字されていると共に、表面または裏面に接着剤が塗布され更に剥離紙が貼付されたものを用いてもよい。
【図面の簡単な説明】
【００１５】
【図１】本考案の一実施例にかかる使用状態の容器を示す概略斜視図である。
【図２】蓋部を取り外した状態の容器を示す分解斜視図である。
【図３】蓋部を示す概略斜視図である。
【図４】非使用状態の容器を背面から見た斜視図である。
【図５】容器自体を廃棄する場合の容器を示す概略斜視図である。
【図６】シールを示す概念的な断面図である。
【図７】従来の容器を示す概略斜視図である。
【図８】蓋を取り外した状態の別の従来の容器を示す概略斜視図である。
【考案を実施するための形態】
【００１６】
好ましくは、前記シールは前記背面側の側壁の幅の少なくとも半分以上の長さを有する。
この場合、目印が側壁の幅方向に長く、そのため、前記投入開口を通して目印を視認し易い。
【００１７】
より好ましくは、前記シールは前記背面側の側壁から前記背面側の側壁に隣接する別の側壁まで延びている。
この場合、使用者は目印を投入開口から視認することができるだけでなく、容器本体の前記側壁に貼付されたシールの目印を直接的に視認することができる。
【実施例１】
【００１８】
以下、本考案に係る医療廃棄物用の容器の一実施例を図面にしたがって説明する。
【００１９】
図１に示す容器１は、注射針、シリンジまたは注射器などの医療廃棄物を廃棄するための容器である。容器１は直方体形状の容器であり、容器本体（収容部）１２と、内蓋１３および外蓋１４からなる蓋部１０とを備えている。なお、容器１は、容器本体１２に対して回転可能な把手１９ｂを備えていてもよい。
【００２０】
図２および図３に示すように、前記内蓋１３および外蓋１４は一体に成形され、内蓋１３と外蓋１４の間には樹脂製のヒンジ１５が形成されている。図２の内蓋１３は、容器本体１２の上部の開口部１２ｂを覆うように嵌め込まれており（図１参照）、外蓋１４は前記ヒンジ１５を中心に内蓋１３に対し回転可能となっている。
【００２１】
図１の前記内蓋１３は、その上面に前記廃棄物が投入される投入開口１６や、注射針の取り外しに用いる有底の取り外し凹部１７などを備えている。前記廃棄物を投入開口１６から容器１の内部に投入するには、図１に示す外蓋１４を開いた状態で行う。
【００２２】
前記蓋部１０は、半透明の樹脂で形成されており、前記蓋部１０の透明度は、容器本体１２の透明度よりも高く設定されていてもよい。
【００２３】
前記ヒンジ１５は、前記内蓋１３を容器本体１２に嵌め込んだ状態において、容器１の背面側Ｂに設けられている。図１の容器１内に収納された前記廃棄物および容器１自体の廃棄を行う際には、前記ヒンジ１５を中心に外蓋１４を回動させ、図１の投入開口１６を閉じた上で、図３の外蓋１４の先端に設けた２つの爪１８ａを折り曲げて、内蓋１３上面に設けた２つの嵌合孔１８ｂにそれぞれ押し込み、図５のように、外蓋１４が開かないように閉じる。
このように、前記ヒンジ１５は、前記内蓋１３の端部１３ｓにおいて、かつ、容器本体１２の４つの側壁１１のうちの１つの側壁１１ａの上端近傍において、前記外蓋１４を内蓋１３に対して回転可能に支持している。
【００２４】
図１に示すように、前記容器本体１２の側壁１１には商品のラベルＬとシールＳとが貼付されている。
【００２５】
前記ラベルＬは前記４つの側壁１１のうちの正面側Ｆの側壁１１ｂの外表面に貼付されており、製造元、販売元やバーコードが印字されていてもよい。
【００２６】
前記シールＳは前記正面側の側壁１１ｂに対向する図４の背面側の側壁１１ａの外表面に貼付されている。シールＳの目印Ｍは図１の前記投入開口１６および前記半透明の容器本体１２の前記背面側の側壁１１ａを通して視認可能で、前記背面側の側壁１１ａの幅方向に延び満杯の目安となるラインで形成されていてもよい。なお、ラインの太さは適宜に設定される。また「Ｆｕｌｌ」などの文字がシールＳに印字されていてもよい。
【００２７】
図４の前記シールＳは、前記背面側の側壁１１ａの幅の少なくとも半分以上の長さを有しているのが好ましく、本実施例のように背面側の側壁１１ａの幅の全幅にわたって設けられていてもよい。
【００２８】
より好ましくは、前記シールＳの目印Ｍは、前記背面側の側壁１１ａから前記背面側の側壁１１ａに隣接する別の側壁１１ｃまで延びていてもよい。この場合、図１の背面側の側壁１１ａのドット模様で示した目印Ｍだけでなく、隣接する別の側壁１１ｃの外表面に貼付されたシールＳの目印Ｍを視認することができる。
【００２９】
図６Ａおよび図６Ｂは前記シールＳおよび目印Ｍの例を模式的な断面を示す。なお、シールＳと側壁１１ａとの間の粘着層ないし接着層には××××が付されて図示されている。
【００３０】
図６Ａのように、シールＳの外表面に目印Ｍが印字等されていてもよいし、図６Ｂのように、シールＳの内表面に目印Ｍが印字等されていてもよい。
【００３１】
図１は容器１の使用状態を示し、図４は容器１の非使用状態または未使用の状態を示す。
【００３２】
図４の状態においては、図３の外蓋１４に形成された仮止孔１４ｅが内蓋１３に形成された仮止突起１３ｅに樹脂弾性により緩く係合する。そのため、図４の非使用状態では図１の投入開口１６を閉じることができる一方で、図１の使用状態と図４の非使用状態とに繰り返し設定することができる。
【００３３】
前記投入開口１６（図１）が閉塞された図４の未使用の状態において、図３の前記爪１８ａにおける前記内蓋１３の上面１３ｆに対面する表面１４ｆにはグレーで着色して示す領域に、前記内蓋１３の前記爪１８ａ以外の部位とは異なる色が着色されている。着色はインキを塗布してもよいし、シールが貼られてもよいし、染色されたものであってもよい。
【００３４】
図３に示す前記爪１８ａは、前記外蓋１４における前記ヒンジ１５の反対側の辺に突出状態で設けられており、容易に折り曲げることができるように構成されている。前記嵌合孔１８ｂは前記爪１８ａを折り曲げて押し込むことで、図５のように、前記外蓋１４が閉じた状態を維持する。図１の容器１の目印Ｍが廃棄物で隠れる程度になった場合には図５のように爪を折って、外蓋１４が開かないようにして、容器１を使用できないようにする。
【００３５】
ここで、図１の使用状態においては、前記爪１８ａに付した着色を直視視認することができる。また、図４の未使用の状態または非使用状態においては、図４のドット模様で示すように、半透明の外蓋１４を介して前記爪１８ａに付した着色を視認することができる。一方、爪１８ａを９０°折って図３の嵌合孔１８ｂに嵌合させた図５の廃棄すべき状態では前記着色された嵌合孔１８ｂの見え方が前記図１や図４の状態とは明らかに異なる。
【００３６】
そのため、図５のように爪１８ａを折り忘れるのを防止し得ると共に、容器１自体が廃棄すべきものであることが一目で分かる。したがって、容器本体１２内に所定量の廃棄物が溜まった後に、再び容器を使用するのを確実に防止し得る。
【００３７】
前記シールＳは前記シールＳ自体が前記容器本体１２とは異なる色の粘着テープ等で形成されていてもよい。
【産業上の利用可能性】
【００３８】
本考案の医療廃棄物用の容器は、注射器の針または注射器などを廃棄するのに用いることができる。
【符号の説明】
【００３９】
１：容器
１０：蓋部
１２：容器本体
１２ｂ：開口部
１６：投入開口
Ｓ：シール
【図１】
0003201698.tif 000003
【図２】
0003201698.tif 000004
【図３】
0003201698.tif 000005
【図４】
0003201698.tif 000006
【図５】
0003201698.tif 000007
【図６】
0003201698.tif 000008
【図７】
0003201698.tif 000009
【図８】
0003201698.tif 000010